(57)【要約】      （修正有）【課題】着用が容易で、使用時の装着感や窮屈感がなく、また衣服の着用の邪魔にもならず、しかも腸の下垂を有効に抑えることができる補整ベルト付き鼠径ヘルニア抑止用パンツを提供する。【解決手段】鼠径ヘルニア抑止用パンツ１は、パンツ本体１Ａと補整ベルト１Ｂとを有し、パンツ本体１Ａは、リング状のウエスト部２と、ウエスト部２の前側下縁から下方に伸びる前身頃３と、ウエスト部２の後側下縁から下方に伸び、その下端が前身頃３の下端と連なる後身頃４と、使用者のヒップ回りの長さを有する補整ベルト１Ｂとを備え、前身頃３のポケットに収容された脱腸突起押圧部材を、使用者のヒップやウエスト位置で固定した補整ベルト１Ｂによって、患部側へ押圧するようになされている。【選択図】図１
0003219000.tif 000002
【実用新案登録請求の範囲】
【請求項１】
平ゴム製の略リング状のウエスト部と、ウエスト部の前側下縁における幅中央位置から左右いずれか一方へ寄った位置に設けられた前身頃と、ウエスト部の後側下縁における幅中央位置に設けられ、下端部が前身頃の下端部に連なる後身頃と、使用者のヒップ回りの長さを有する補整ベルトとを備え、後身頃は前身頃よりも伸縮性の高い生地で構成され、且つ前身頃よりも短い長さとなされており、前身頃の裏側面にはポケット部が形成され、ポケット部内には脱腸突起押圧部材が収容され、該脱腸突起押圧部材が前記補整ベルトによって、脱腸突起側へ押圧されるようになされている、補整ベルト付き鼠径ヘルニア抑止用パンツ。
【請求項２】
平ゴム製の略リング状のウエスト部と、ウエスト部の前側下縁に左右対称に設けられた一対の前身頃と、ウエスト部の後側下縁における幅中央位置に設けられ、下端部が両前身頃の下端部に連なる後身頃と、使用者のヒップ回りの長さを有する補整ベルトとを備え、後身頃は前身頃よりも伸縮性の高い生地で構成され、且つ前身頃よりも短い長さとなされており、前身頃の裏側面にはポケット部が形成され、ポケット部には脱腸突起押圧部材が収容され、該脱腸突起押圧部材が前記補整ベルトによって、脱腸突起側へ押圧されるようになされている、補整ベルト付き鼠径ヘルニア抑止用パンツ。
【請求項３】
平ゴム製の略リング状のウエスト部と、ウエスト部の前側下縁に左右対称に設けられた一対の前身頃と、ウエスト部の後側下縁に左右対称に設けられた一対の後身頃と、使用者のヒップ回りの長さを有する補整ベルトとを備え、左右の前身頃と左右の後身頃の対応する下端部同士が連なっており、後身頃は前身頃よりも伸縮性の高い生地で構成され、且つ前身頃よりも短い長さとなされており、前身頃の裏側面にはポケット部が形成され、ポケット部内には脱腸突起押圧部材が収容され、該脱腸突起押圧部材が前記補整ベルトによって、脱腸突起側へ押圧されるようになされている、補整ベルト付き鼠径ヘルニア抑止用パンツ。
【請求項４】
補整ベルトは、その一端部が前見頃の表側に縫着され、他端部が接着手段を介して前記一端部の表側に接着されている、請求項１〜請求項３うちのいずれか一項記載の補整ベルト付き鼠径ヘルニア抑止用パンツ。
【請求項５】
脱腸突起押圧部材が、コルク製またはコルクと木材の混合物からなる板状部材である請求項１〜請求項４のうちのいずれか一項記載の補整ベルト付き鼠径ヘルニア抑止用パンツ。
【考案の詳細な説明】
【技術分野】
【０００１】
本考案は、いわゆる鼠径ヘルニア（特に外鼠径ヘルニア）の症状を抑え、改善する方向に導くのに用いる補整ベルト付き鼠径ヘルニア抑止用パンツに関する。
【背景技術】
【０００２】
鼠径ヘルニアは、鼠径部分に腹腔の内臓部分が脱出し、腫瘤となったものであり、大別すると、外鼠径ヘルニアと内鼠径ヘルニアに区別される。一般的には、内鼠径ヘルニアよりも外鼠径ヘルニアの症例の方が非常に多い。鼠径ヘルニアは、一般的な病気で、年間１４万〜１６万人程度の人に自覚症状があらわれるとされている。
【０００３】
一般に、外鼠径ヘルニアは先天的な要因で乳幼児に発症することが多いが、少子高齢化に伴って、近年では、中高年で発症するケースが増加している。これは足の付け根にある腹壁の筋膜が加齢とともに弱くなることが原因であるとされている。
【０００４】
病院で外鼠径ヘルニアの治療や手術を受ける人は年間約２５万人ほどであるが、これは腹部の痛み等の症状が出て日常生活に支障をきたした患者数であり、目だった症状が出ず、日常生活にさほど支障を伴わない程度の患者は恥ずかしがって病院に行かず、放置しているのが実情であり、そのため実際の潜在的な患者数はかなり多いと言われている。
【０００５】
病院で治療や手術を受けない患者が日常生活の中で外鼠径ヘルニアの軽減を図るために用いるものとして所謂「脱腸帯」と呼ばれる帯状のものが知られている。具体的には、脱腸帯は、患者の下腹部に当てる前部材と、該前部材と対称に患者の背中側に当てる後部材と、前記前部材の下部に付設する左右の腰帯と、前記後部材に下向きに付設する左右の股帯と、前記前部材の内面側に付設する押えパッドとを備えてなり、前記前部材、後部材は、前記腰帯を利用して固定し、前記各股帯を前記前部材に下から連結して前記押えパッドを患部に押し当てるものが知られている。
【０００６】
また、腹部を捲回し、係合部と係止部により係止される腹帯部と、腹帯部の前後に一端を固定し、他端に設けた前記係合部を前記腹帯部の係止部に係止するようにした股部とを編物等の伸縮素材にて構成されたヘルニア帯も知られている。
【先行技術文献】
【特許文献】
【０００７】
【特許文献１】特開２００３−２６５５０９号公報
【特許文献２】特開２００１−１０４３５０号公報
【特許文献３】実開昭５８−０５４８２６号公報
【考案の概要】
【考案が解決しようとする課題】
【０００８】
前述した脱腸帯等は、基本的な構造として、腰に装着するための帯状体と、該帯状体の下縁から下方に形成された股帯と、股帯の内側に取り付けられるパッドを有するものであって、股帯におけるパッドを下腹部の患部に当てることで症状の抑止が図られていた。
【０００９】
しかしながら、従来の脱腸帯は、前述したように、帯状体を腰に装着した上、下腹部にも股帯を装着するという構造であるため、使用者が日常生活を行う上で常に器具の装着感を伴うと共に歩行等の日常の動きが制限されて窮屈を感ずると共に、スラックスやスカート等の衣服の着用にも支障をきたす上、腸の十分な下垂抑止効果を得がたいのが実情であった。
【００１０】
また、構造的に多岐にわたる帯状体で構成されるものが多く、前述した不都合の他、装着に手間と時間を要することから、持続的な使用が困難で、一時期だけの使用で終わってしまう場合が多かった。
【００１１】
本考案の目的は、使用時の装着感や窮屈感がなく、また衣服の着用の邪魔にもならず、下着として使用することができ、しかも腸の下垂を有効に抑えることができる補整ベルト付き鼠径ヘルニア抑止用パンツを提供することにある。
【課題を解決するための手段】
【００１２】
請求項１記載の本考案は、平ゴム製の略リング状のウエスト部と、ウエスト部の前側下縁における幅中央位置から左右いずれか一方へ寄った位置に設けられた前身頃と、ウエスト部の後側下縁における幅中央位置に設けられ、下端部が前身頃の下端部に連なる後身頃と、使用者のヒップ回りの長さを有する補整ベルトとを備え、後身頃は前身頃よりも伸縮性の高い生地で構成され、且つ前身頃よりも短い長さとなされており、前身頃の裏側面にはポケット部が形成され、ポケット部内には脱腸突起押圧部材が収容され、該脱腸突起押圧部材が前記補整ベルトによって、脱腸突起側へ押圧されるようになされている補整ベルト付き鼠径ヘルニア抑止用パンツである。
【００１３】
請求項２記載の本考案は、平ゴム製の略リング状のウエスト部と、ウエスト部の前側下縁に左右対称に設けられた一対の前身頃と、ウエスト部の後側下縁における幅中央位置に設けられ、下端部が両前身頃の下端部に連なる後身頃と、使用者のヒップ回りの長さを有する補整ベルトとを備え、後身頃は前身頃よりも伸縮性の高い生地で構成され、且つ前身頃よりも短い長さとなされており、前身頃の裏側面にはポケット部が形成され、ポケット部には脱腸突起押圧部材が収容され、該脱腸突起押圧部材が前記補整ベルトによって、脱腸突起側へ押圧されるようになされている補整ベルト付き鼠径ヘルニア抑止用パンツである。
【００１４】
請求項３記載の本発明は、平ゴム製の略リング状のウエスト部と、ウエスト部の前側下縁に左右対称に設けられた一対の前身頃と、ウエスト部の後側下縁に左右対称に設けられた一対の後身頃と、使用者のヒップ回りの長さを有する補整ベルトとを備え、左右の前身頃と左右の後身頃の対応する下端部同士が連なっており、後身頃は前身頃よりも伸縮性の高い生地で構成され、且つ前身頃よりも短い長さとなされており、前身頃の裏側面にはポケット部が形成され、ポケット部内には脱腸突起押圧部材が収容され、該脱腸突起押圧部材が前記補整ベルトによって、脱腸突起側へ押圧されるようになされている、補整ベルト付き鼠径ヘルニア抑止用パンツである。
【００１５】
請求項４記載の本発明は、請求項１〜請求項３うちのいずれか一項記載の補整ベルト付き鼠径ヘルニア抑止用パンツについて、補整ベルトは、その一端部が前見頃の表側に縫着され、他端部が接着手段を介して前記一端部の表側に接着されていることを特徴とする。
【００１６】
請求項５記載の本考案は、前記前記請求項１〜請求項４のうちのいずれか一項記載の鼠径ヘルニア抑止用パンツについて、脱腸突起押圧部材が、コルク製またはコルクと木材の混合物からなる板状部材であることを特徴とする。
【００１７】
本考案に係る前述した補整ベルト付き鼠径ヘルニア抑止用パンツにおいては、伸縮性の高い生地および伸縮性の低い生地の種類は特に限定されず、市販されている種々のものを用いることができる。具体的には、ナイロン、ポリウレタン等の合成繊維や綿等の混紡による交編、交織並びに天然素材とポリウレタンによる交編、交織のもの等が挙げられる。また、前身頃や後身頃およびウエスト部についても、生地は一枚でなく、複層生地としても良い。これらの点は後述するパンツについても同様である。また、前記補整ベルトについても種々の伸縮性素材で構成するのが望ましく、具体的には伸縮性のあるネット地等である。
【００１８】
脱腸突起押圧部材は、患部の抑止効果を有する材質および形状のものであれば良く、後述するコルクのような天然素材のものの他、前述した通り、コルクと木材の混合物製や或いは合成樹脂等の人工的な素材を用いても良く、また形状としては、板状であって、円形、楕円形およびハート形等が挙げられる。
【考案の効果】
【００１９】
本考案に係るいずれの鼠径ヘルニア抑止用パンツについても、通常の下着の感覚で着用することができ、従来の脱腸帯のような器具を装着しているといった違和感がなく、日常生活において下半身の動きを制限することなく使用できる。
【００２０】
そして、本考案の鼠径ヘルニア抑止用パンツは、後身頃の長さ（丈）が前身頃の長さ（丈）よりも短くなっているため、使用者の臀部の引っ張り効果によって後身頃から前身頃にかけて股下が持ち上げられると共に、前身頃のポケット部に収容された脱腸突起押圧部材が使用者の患部に押し当てられることから、使用者は股下の持ち上げ効果と患部への脱腸突起押圧部材の当接による複合的なヘルニア抑止効果を得ることができる。また、この場合、後身頃が高い伸縮性生地で構成されているため、使用者が股ずれを起こすことも少ない。
【００２１】
また、脱腸突起押圧部材として、コルク製またはコルクの木材の混合物製である場合は、それら素材からなる板状部材を用いた場合、使用者の患部に対して適度の硬さでの押圧がなされ、且つ患部の形状に対応して若干、湾曲し得る。
【００２２】
更に、本考案に係る鼠径ヘルニア抑止用パンツは、ヒップ回りの長さを有する補整ベルトを有し、当該補整ベルトを使用者のヒップ周囲またはウエスト周囲に装着することで、当該位置で、補整ベルトによって締め付けられ、これに伴って前記脱腸突起押圧部材がより強く患部に押し当てられて、前述した脱腸突起押圧部材によるヘルニア抑止効果を更に有効に高めることが可能となる。しかも前記脱腸突起押圧部材は前記補整ベルトによって患部からずれることなく、確実に患部に当接され得るという格別の利点を有する。
【００２３】
また、前記補整ベルトが前記パンツ部分に一体に縫着された本考案の鼠径ヘルニア抑止用パンツでは、常に補整ベルトがパンツ部分と一体に携行、装着されるため、補整ベルトを紛失することを確実に防止できるという実用的に利点を有する。
【図面の簡単な説明】
【００２４】
【図１】実施形態１に係るパンツの斜視図である。
【図２】同実施形態のパンツ内部の前側を図示した正面図である。
【図３】同実施形態のパンツ前側におけるポケット縫着部分の断面図である。
【図４】脱腸突起押圧部材の斜視図である。
【図５】実施形態１に係るパンツの使用状態を示す前側斜視図である。
【図６】同実施形態に係るパンツの使用状態を示す後側斜視図である。
【図７】実施形態２に係るパンツの斜視図である。
【図８】同実施形態のパンツの後側斜視図である。
【図９】同実施形態のパンツ内部の前側を図示した一部切欠正面図である。
【図１０】同実施形態に係るパンツの使用状態を示す前側斜視図である。
【図１１】実施形態３に係るパンツを前側から見た斜視図である。
【図１２】同実施形態に係るパンツを後側から見た斜視図である。
【図１３】同実施形態に係るパンツの使用状態を示す前側斜視図である。
【考案を実施するための形態】
【００２５】
次に、本考案の実施形態として、外鼠径ヘルニア抑止用パンツについて、図面にしたがって説明するが、本考案はかかる実施形態に限定されるものではなく、その要旨の範囲内で種々の変形実施が可能である。
（実施形態１）
【００２６】
図１〜図３に示すように、外鼠径ヘルニア抑止用パンツ１は、後述の通り、パンツ本体１Ａと、補整ベルト１Ｂとからなり、男女兼用である。
【００２７】
パンツ本体１Ａは、平ゴム製の略リング状ウエスト部２と、ウエスト部２の前側下縁から下方に伸びる前身頃３と、ウエスト部２の後側下縁から下方に伸び、その下端が前身頃３の下端に連なる後身頃４とを有しており、前身頃３はウエスト部２の前側における幅中央位置２ａから、患部に対応して左右いずれか一方へ寄った位置に設けられるものであって、本実施形態では向かって左側へ寄った位置に設けられており、より詳細にはウエスト２の幅Ｗを三分割した場合に、その左側約三分の一の幅位置Ｗ１に形成されている。一方、後身頃４はウエスト部２の後側中央位置に形成されている。
【００２８】
なお、図中３ｃは前身頃３の幅中央部を示す。
【００２９】
本実施形態では、パンツ本体１Ａにおいて、ウエスト部２における前半部２ｂ、前身頃３の全体および後身頃４下端の前側寄り部分がそれぞれ高伸縮性生地（表側）と低伸縮性生地（裏側）の二重構造となされ、更に図２〜図４に示すように、前身頃３の低伸縮性生地（裏側）面には高伸縮性生地からなる上縁が開口したポケット部５が設けられ、ポケット部５内にはハート形のコルクと木材の混合物製の脱腸突起押圧部材６が収容されている。そして、本実施形態では前身頃３におけるポケット部５が形成されている長さ中央部分の両側縁部３ａ・３ｂが凸弧状となされている。
【００３０】
ウエスト部２の後半部２ｃ並びに後身頃４の前側寄り部分を除く全体は高伸縮性生地で構成されており、そして、後身頃４は前身頃３に比べて長さが短いＴバック形となされている。
【００３１】
なお、図中７は、当該パンツ１全体について縁取り状に縫着された帯紐ゴム（平ゴム）である。また、本実施形態のパンツ１を女性用として使用する場合には、前身頃３裏面と後身頃４裏面における股下が当たる部分を柔軟な肌触りとするために、綿生地を縫着する場合もある。
【００３２】
前記補整ベルト１Ｂは、伸縮性の生地で構成され、使用者のヒップ回りの長さを有している。そして、補整ベルト１Ｂは、その一端部Ｂ１が前記前見頃３の右側縁部３ａに縫着され、他端部Ｂ２が接着手段としての後述する面ファスナー８を介して前記一端部Ｂ１の表側に接着される。
【００３３】
より詳細には、前記面ファスナー８は、市販のものと同様、ループ状起毛地部８ａと、ループ状起毛地部８ａに掛着自在なフック状起毛地部８ｂとからなり、本実施形態では、補整ベルトＢ１の一端部Ｂ１の表側面にフック状起毛地部８ｂが縫着され、補整ベルトＢ１の他端部Ｂ２の裏側面にループ状起毛地部８ａが縫着されている。
【００３４】
本実施形態の外鼠径ヘルニア抑止用パンツ１は、通常の下着パンツの代わりに使用しても良いし、通常の下着パンツの上から着用しても良い。この点は、後述する実施形態においても同様である。いずれにしても本実施形態の外鼠径ヘルニア抑止用パンツ１を着用した場合、使用者は通常の下着をつけたのと同様に、違和感や窮屈感を感ずることなく、後述するヘルニア抑止作用が得られる。
【００３５】
すなわち、使用者が本実施形態の外鼠径ヘルニア抑止用パンツ１をはく前に、前身頃３のポケット部５内に前記脱腸突起押圧部材６を入れ、該部材６の位置を使用者の患部に対応してポケット５内で若干移動調整するだけで当該パンツ１の着用が行える。
【００３６】
そして、パンツ本体１Ａの前見頃３に縫着されている補整ベルト１Ｂを一旦、前見頃３から垂れ下がった状態として補整ベルト１Ｂの捩れ等を無くすことで、補整ベルト１Ｂの形を整える。
【００３７】
次に、図１および図５および図６に示すように、補整ベルト１Ｂの先端側部分（Ｂ２）を引っ張って該補整ベルト１Ｂを伸ばした状態で、使用者のヒップ回りに位置せしめ、この状態で、補整ベルト１Ｂ先端部のループ状起毛地部８ａを、同ベルト１Ｂ他端部のフック状起毛地部８ｂに接着させることで、補整ベルト１Ｂによって、前記パンツ本体１Ａの前見頃３裏面に設けられたポケット部５内の脱腸突起押圧部材６を患部に押圧させる。これによって、脱腸突起押圧部材６はより強く患部に押し当てられて、症状の更なる改善が実現される。
【００３８】
すなわち、前述したパンツ本体１Ａの着用後においては、後身頃４は前身頃３よりも長さが短く、且つ高伸縮性生地で構成されていることから、該後身頃４が、使用者の臀部の割れ目に食い込んで臀部により引き上げられる結果、使用者の股下部分が後身頃４および前身頃３によって持ち上げられると共に、前身頃３のポケット５内の脱腸突起押圧部材６が患部に押し当てられることとなる。そして、補整ベルト１Ｂによる前記脱腸突起押圧部材６の押圧によって、患部の更なる補整が行われるのである。また、該補整ベルト１Ｂによる押圧は、そのループ状起毛地部８ａとフック状起毛地部８ｂとの接着位置を変えることで調整可能であり、また前述した補整ベルト１Ｂのヒップ回し位置を上下方向に変えることで更に調整可能である。そのため、補整ベルト１Ｂによる患部への押圧は、使用者の身体的特性に合わせて、非常に細かく調整することができる。そのため、使用者は、苦痛なく、違和感なく、常に適切な患部の補整が行える。
（実施形態２）
【００３９】
図７〜図１０に示すように、本実施形態の外鼠径ヘルニア抑止用パンツ２１は、前述した実施形態１と同様、パンツ本体２１Ａと、補整ベルト２１Ｂとからなる左右外鼠径ヘルニア用で、主に男性用である。
【００４０】
パンツ本体２１Ａは、平ゴム製の略リング状のウエスト部２２と、ウエスト部２２の前側下縁から下方に伸びる左右対称な一対の前身頃２３Ａ・２３Ｂと、ウエスト部２２の後側中央下縁から下方に伸び、その下端が両前身頃２３Ａ・２３Ｂの下端に連なる後身頃２４とを有している。
【００４１】
本実施形態では、ウエスト部２２は平ゴムからなり、前身頃２３Ａ・２３Ｂは高伸縮性生地（表側）と低伸縮性生地（裏側）の二重構造となされ、低伸縮性生地（裏側）の表面には高伸縮性生地からなる上縁が開口したポケット部２５Ａ・２５Ｂが設けられ、ポケット部２５Ａ・２５Ｂには円形のコルク製脱腸突起押圧部材２６が収容されている。
【００４２】
また、前身頃２３Ａ・２３Ｂは、その上部から下部に向かって幅が狭くなり、且つ内縁部２３ａがほぼ直線状であるのに対し、外縁部２３ｂが略凸弧状となされている。
【００４３】
後身頃２４は、前記実施形態１と同様、高伸縮性生地により構成され、前身頃２３Ａ・２３Ｂよりも短い長さのＴバック形とされている。また、本実施形態の外鼠径ヘルニア抑止用パンツ２１は、前身頃２３Ａ・２３Ｂおよび後身頃２４の両側部において、縁取り状に帯紐ゴム２７が縫着されている。
【００４４】
前記補整ベルト２１Ｂも伸縮性の生地で構成され、使用者のヒップ回りの長さを有している。そして、補整ベルト２１Ｂは、その一端部２Ｂ１が前記前見頃２３Ａの内縁部２３ａに縫着され、他端部２Ｂ２が接着手段としての後述する面ファスナー８を介して前記一端部２Ｂ１の表側に接着されている。この接着手段は前記実施形態１と同様であるため、同じ符号を付すことによって説明を省略する。
【００４５】
本実施形態の外鼠径ヘルニア抑止用パンツ２１の着用にあたっては、左側の前身頃２３Ａと後身頃２４の間（Ｓ１）に左足をいれ、右側の前身頃２３Ｂと後身頃２４の間（Ｓ２）に右足を入れれば良い。そして、本実施形態のパンツ２１においても、後身頃２４によって、前記実施形態１における後身頃４と同様の作用効果が得られ、そして、本実施形態では、左右対称な一対の前身頃２３Ａ・２３Ｂにおける左右のポケット２５Ａ・２５Ｂに、使用者の患部に対応してコルクと木材の混合物製の脱腸突起押圧部材２６を入れ、その位置を適宜調整すれば良い。
【００４６】
前記パンツ本体２１Ａの着用後における補整ベルト２１Ｂの使用方法は、前述した実施形態１と同様であり、補整ベルト２１Ｂのよれ等をとった後、該ベルト２１Ｂの他端部２Ｂ２を使用者のヒップ回りに位置せしめた状態で補整ベルト２１Ｂの他端部２Ｂ２のループ状起毛地部８ａを、同ベルト２１Ｂの一端部２Ｂ１のフック状起毛地部８ｂに接着させることで、補整ベルト２１Ｂによって、前記パンツ本体２１Ａにおける前見頃２３Ａ・２３Ｂのポケット部２５Ａ・２５Ｂ内の脱腸突起押圧部材２６を患部に押圧せしめる。
（実施形態３）
【００４７】
図１１〜図１３に示すように、本実施形態の外鼠径ヘルニア抑止用パンツ３１は、後述の通り、パンツ本体３１Ａと、補整ベルト３１Ｂとからなり、左右外鼠径ヘルニア用で、男女兼用として使用することができるものである。
【００４８】
パンツ本体３１Ａは、ウエスト部３２と、ウエスト部３２の前側下縁から下方に伸びる左右対称な一対の前身頃３３Ａ・３３Ｂと、ウエスト部３２の後側下縁から下方に伸びる左右対称な一対の後身頃３４Ａ・３４Ｂとを有しており、左側の前身頃３３Ａと同側の後身頃３４Ａの下端部同士が連なり、右側の前身頃３３Ｂと同側の後身頃３４Ｂの下端部同士が連なっている。
【００４９】
本実施形態では、ウエスト部３２は平ゴムからなり、前身頃３３Ａ・３３Ｂは高伸縮性生地（表側）と低伸縮性生地（裏側）の二重構造となされ、低伸縮性生地（裏側）の表面には高伸縮性生地からなる上縁が開口したポケット部（図示せず）が設けられ、ポケット部には前記実施形態２と同様のコルク製脱腸突起押圧部材が収容される。
【００５０】
後身頃３４Ａ・３４Ｂは高伸縮性生地により構成されており、前身頃３３Ａ・３３Ｂよりも短い長さとされている。
【００５１】
前身頃３３Ａ・３３Ｂおよび後身頃３４Ａ・３４Ｂは、いずれも上部から下部に向かって幅が狭い形状となされ、また、前身頃３３Ａ・３３Ｂおよび後身頃３４Ａ・３４Ｂの両側部には、縁取り状に帯紐ゴム３７が縫着されている。
【００５２】
前記補整ベルト３１Ｂも伸縮性の生地で構成され、使用者のヒップ回りの長さを有している。そして、補整ベルト３１Ｂは、その一端部３Ｂ１が前記前見頃３３Ｂの内縁部３０に縫着され、他端部３Ｂ２が接着手段としての前記面ファスナー８を介して前記一端部３Ｂ１の表側に接着される。この接着手段は前記実施形態１と同様であるため、同じ符号を付すことによって説明を省略する。
【００５３】
本実施形態の外鼠径ヘルニア抑止用パンツ３１の着用にあたっては、左側の前身頃３３Ａと後身頃３４Ａ間（Ｓ１）に左足を入れ、右側の前身頃３３Ｂと後身頃３４Ｂ間（Ｓ２）に右足を入れれば良い。そして、左右の前身頃３３Ａ・３３Ｂにおけるポケット部に、使用者の患部に対応してコルクと木材との混合物製の脱腸突起押圧部材を入れ、その位置を適宜調整すれば良い。
【００５４】
本実施形態の外鼠径ヘルニア抑止用パンツ３１においても、前記実施形態と同様の作用効果が得られる。
【００５５】
前述した各実施形態における前身頃３・２３Ａ・２３Ｂ・３３Ａ・３３Ｂはいずれも伸縮性の高い生地の裏側に伸縮性の低い生地を重ね合わせることにより、複層生地として伸縮性の低いものとなっている。
【００５６】
そして、前述した実施形態１・２と同様の要領で、補整ベルト３１Ｂによって、前身頃３３Ａ・３３Ｂ内の脱腸突起押圧部材を患部側へ押圧することで、症状の更なる緩和・ケアが行える。
【産業上の利用可能性】
【００５７】
本考案に係る外鼠径ヘルニア抑止用パンツは、通常の下着感覚で使用することができるため、幼児から老人まで性別を問わず、幅広く利用され得る。
【符号の説明】
【００５８】
１  外鼠径ヘルニア抑止用パンツ
２  ウエスト部
３  前身頃
４  後身頃
５  ポケット部
６  コルク製脱腸突起押圧部材
【図１】
0003219000.tif 000003
【図２】
0003219000.tif 000004
【図３】
0003219000.tif 000005
【図４】
0003219000.tif 000006
【図５】
0003219000.tif 000007
【図６】
0003219000.tif 000008
【図７】
0003219000.tif 000009
【図８】
0003219000.tif 000010
【図９】
0003219000.tif 000011
【図１０】
0003219000.tif 000012
【図１１】
0003219000.tif 000013
【図１２】
0003219000.tif 000014
【図１３】
0003219000.tif 000015